【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】映像記録装置、編集装置及び映像記録編集方法
【手続補正２】
【補正対象書類名】明細書
【補正対象項目名】特許請求の範囲
【補正方法】変更
【補正の内容】
【特許請求の範囲】
【請求項１】
被写体を撮像する撮像手段と、
前記撮像手段により撮像した撮影画像を記録媒体に記録する記録手段と、
前記撮像手段により撮像した撮影画像の所定の位置に、前記撮影画像の頭出、または、前記撮影画像の終端となるマーク情報を付与すると共に、該マーク情報が付与された前記撮影画像を前記記録手段により前記記録媒体に記録するマーキング手段と、
を有することを特徴とする映像記録装置。
【請求項２】
前記マーキング手段は、前記映像記録装置の有する操作部から所定の操作が行われた際、または、外部の通信装置から所定の無線信号が入力された際に、実行することを特徴とする請求項１記載の映像記録装置。
【請求項３】
撮影画像の所定の位置に、前記撮影画像の頭出、または、前記撮影画像の終端となるマーク情報が付与された撮影画像を記録した記録媒体の前記撮影画像を編集する編集装置であって、
前記マーク情報が付与された撮影画像を検出する検出手段と、
前記検出手段により検出した前記マーク情報が付与された撮影画像を、前記撮影画像の頭出、または、前記撮影画像の終端と判断する判断手段と、
前記判断手段により、前記撮影画像の頭出、または、前記撮影画像の終端と判断した前記撮影画像の位置から再生し、前記撮影画像の編集を行う編集手段と、
を有することを特徴とする編集装置。
【請求項４】
前記マーク情報は、複数種類からなり、
前記判断手段は、前記マーク情報の種類に応じて、前記検出手段により検出した前記マーク情報が付与された撮影画像を、前記撮影画像の頭出、または、前記撮影画像の終端と判断することを特徴とする請求項３記載の編集装置。
【請求項５】
被写体を撮像する撮像手段と、前記撮像手段により撮像した撮影画像を記録媒体に記録する記録手段と、を有する映像記録装置において行う映像記録編集方法であって、
前記撮像手段により撮像した撮影画像の所定の位置に、前記撮影画像の頭出、または、前記撮影画像の終端となるマーク情報を付与すると共に、該マーク情報が付与された前記撮影画像を前記記録手段により前記記録媒体に記録するマーキング工程を、前記映像記録装置が行うことを特徴とする映像記録編集方法。
【請求項６】
前記マーキング工程は、前記映像記録装置の有する操作部から所定の操作が行われた際、または、外部の通信装置から所定の無線信号が前記映像記録装置に入力された際に、前記映像記録装置が行うことを特徴とする請求項５記載の映像記録編集方法。
【請求項７】
前記マーク情報が付与された撮影画像を記録した記録媒体の前記撮影画像を編集する編集装置を更に有し、
前記マーク情報が付与された撮影画像を検出する検出工程と、
前記検出工程により検出した前記マーク情報が付与された撮影画像を、前記撮影画像の頭出、または、前記撮影画像の終端と判断する判断工程と、
前記判断工程により、前記撮影画像の頭出、または、前記撮影画像の終端と判断した前記撮影画像の位置から再生し、前記撮影画像の編集を行う編集工程と、
を、前記編集装置が行うことを特徴とする請求項５または６記載の映像記録編集方法。
【手続補正３】
【補正対象書類名】明細書
【補正対象項目名】０００１
【補正方法】変更
【補正の内容】
【０００１】
【発明の属する技術分野】
本発明は、画像を撮影する映像記録装置、画像を編集する編集装置、映像記録装置にて画像を撮影し、この撮影した画像を編集装置で編集する映像記録編集方法に関に関するものである。
【手続補正４】
【補正対象書類名】明細書
【補正対象項目名】０００７
【補正方法】変更
【補正の内容】
【０００７】
本発明は上記事情に鑑みてなされたものであり、映像記録時にユーザの指定により任意のマークを併せて記録することで、編集作業の効率化を図ることができる映像記録装置、その映像記録装置で記録した画像を編集する編集装置、映像記録編集方法を提供することを目的とする。
【手続補正５】
【補正対象書類名】明細書
【補正対象項目名】０００８
【補正方法】変更
【補正の内容】
【０００８】
【課題を解決するための手段】
かかる目的を達成するために、本発明は以下の特徴を有することとする。
本発明にかかる映像記録装置は、被写体を撮像する撮像手段と、撮像手段により撮像した撮影画像を記録媒体に記録する記録手段と、撮像手段により撮像した撮影画像の所定の位置に、撮影画像の頭出、または、撮影画像の終端となるマーク情報を付与すると共に、該マーク情報が付与された撮影画像を記録手段により記録媒体に記録するマーキング手段と、を有することを特徴とするものである。
【手続補正６】
【補正対象書類名】明細書
【補正対象項目名】０００９
【補正方法】変更
【補正の内容】
【０００９】
また、本発明にかかる映像記録装置において、マーキング手段は、映像記録装置の有する操作部から所定の操作が行われた際、または、外部の通信装置から所定の無線信号が入力された際に、実行することを特徴とするものである。
【手続補正７】
【補正対象書類名】明細書
【補正対象項目名】００１０
【補正方法】変更
【補正の内容】
【００１０】
また、本発明にかかる編集装置は、撮影画像の所定の位置に、撮影画像の頭出、または、撮影画像の終端となるマーク情報が付与された撮影画像を記録した記録媒体の撮影画像を編集する編集装置であって、マーク情報が付与された撮影画像を検出する検出手段と、検出手段により検出したマーク情報が付与された撮影画像を、撮影画像の頭出、または、撮影画像の終端と判断する判断手段と、判断手段により、撮影画像の頭出、または、撮影画像の終端と判断した撮影画像の位置から再生し、撮影画像の編集を行う編集手段と、を有することを特徴とするものである。また、マーク情報は、複数種類からなり、判断手段は、マーク情報の種類に応じて、検出手段により検出したマーク情報が付与された撮影画像を、撮影画像の頭出、または、撮影画像の終端と判断することを特徴とするものである。
【手続補正８】
【補正対象書類名】明細書
【補正対象項目名】００１１
【補正方法】変更
【補正の内容】
【００１１】
また、本発明にかかる映像記録編集方法は、被写体を撮像する撮像手段と、撮像手段により撮像した撮影画像を記録媒体に記録する記録手段と、を有する映像記録装置において行う映像記録編集方法であって、撮像手段により撮像した撮影画像の所定の位置に、撮影画像の頭出、または、撮影画像の終端となるマーク情報を付与すると共に、該マーク情報が付与された撮影画像を記録手段により記録媒体に記録するマーキング工程を、映像記録装置が行うことを特徴とするものである。
【手続補正９】
【補正対象書類名】明細書
【補正対象項目名】００１２
【補正方法】変更
【補正の内容】
【００１２】
また、本発明にかかる映像記録編集方法において、マーキング工程は、映像記録装置の有する操作部から所定の操作が行われた際、または、外部の通信装置から所定の無線信号が映像記録装置に入力された際に、映像記録装置が行うことを特徴とするものである。また、本発明にかかる映像記録編集方法は、マーク情報が付与された撮影画像を記録した記録媒体の撮影画像を編集する編集装置を更に有し、マーク情報が付与された撮影画像を検出する検出工程と、検出工程により検出したマーク情報が付与された撮影画像を、撮影画像の頭出、または、撮影画像の終端と判断する判断工程と、判断工程により、撮影画像の頭出、または、撮影画像の終端と判断した撮影画像の位置から再生し、撮影画像の編集を行う編集工程と、を、編集装置が行うことを特徴とするものである。